(57)【要約】【課題】  プラズマディスプレイパネルを提供する。【解決手段】  互いに対向して配置される第１基板１１０及び第２基板１２０と、第１基板と第２基板との間に設けられて複数の放電セル１３０を形成する複数の隔壁１３５と、第１基板に形成される複数のアドレス電極１１１と、アドレス電極を覆うように形成される第１誘電体層１１２と、第１誘電体層の表面に形成される蛍光体層１１５と、第２基板に放電セルごとに対をなして形成される第１及び第２維持電極１２１ａ，１２１ｂと、第１及び第２維持電極を覆うように形成される第２誘電体層１２３と、隔壁の内部に設けられて放電セルごとに互いに対向して対をなして形成される第３及び第４維持電極１３１ａ，１３１ｂと、を備え、第１維持電極と第２維持電極との間では面放電が発生し、第３維持電極と第４維持電極との間では対向放電が発生する。【選択図】図３
2006140133.tif 000002
【特許請求の範囲】
【請求項１】
所定の間隔で互いに対向して配置され、放電空間を形成する第１基板及び第２基板と、
前記第１基板と前記第２基板との間に設けられ、前記放電空間を区画して複数の放電セルを形成する複数の隔壁と、
前記第１基板に形成される複数のアドレス電極と、
前記アドレス電極を覆うように形成される第１誘電体層と、
前記第１誘電体層の表面に形成される蛍光体層と、
前記第２基板に前記放電セルごとに対をなして形成される第１及び第２維持電極と、
前記第１及び第２維持電極を覆うように形成される第２誘電体層と、
前記隔壁の内部に設けられて、前記放電セルごとに互いに対向して対をなして形成される第３及び第４維持電極と、を備え、
前記第１維持電極と前記第２維持電極との間では面放電が発生し、前記第３維持電極と前記第４維持電極との間では対向放電が発生することを特徴とするプラズマディスプレイパネル。
【請求項２】
前記第１及び第２維持電極と前記隔壁とは、前記アドレス電極に直交する方向に形成され、前記第３及び第４維持電極は、前記隔壁の長手方向に沿って形成されることを特徴とする請求項１に記載のプラズマディスプレイパネル。
【請求項３】
前記第１維持電極と前記第２維持電極との間に位置する前記第２誘電体層には、トレンチが前記第１及び第２維持電極に平行な方向に形成されることを特徴とする請求項２に記載のプラズマディスプレイパネル。
【請求項４】
前記第１及び第２維持電極が位置する前記第２誘電体層の表面と、前記第３及び第４維持電極が位置する前記隔壁の表面とには、保護膜が形成されることを特徴とする請求項２に記載のプラズマディスプレイパネル。
【請求項５】
前記第１及び第２維持電極は、透明な導電性物質からなり、前記第３及び第４維持電極は、金属からなることを特徴とする請求項２に記載のプラズマディスプレイパネル。
【請求項６】
前記第１及び第２維持電極は、ＩＴＯまたはＳｎＯ２からなることを特徴とする請求項５に記載のプラズマディスプレイパネル。
【請求項７】
前記第１及び第２維持電極は、それぞれ前記第３及び第４維持電極に電気的に連結されることを特徴とする請求項５に記載のプラズマディスプレイパネル。
【請求項８】
前記第１維持電極と前記第２維持電極との間に位置する前記第２誘電体層には、トレンチが前記第１及び第２維持電極に平行な方向に形成されることを特徴とする請求項５に記載のプラズマディスプレイパネル。
【請求項９】
前記第２誘電体層の表面及び前記隔壁の表面には、保護膜が形成されることを特徴とする請求項５に記載のプラズマディスプレイパネル。
【請求項１０】
前記第２誘電体層の表面の一部には、放電不活性膜が形成されることを特徴とする請求項５に記載のプラズマディスプレイパネル。
【請求項１１】
前記放電不活性膜は、Ａｌ２Ｏ３からなることを特徴とする請求項１０に記載のプラズマディスプレイパネル。
【請求項１２】
前記放電不活性膜の表面には、蛍光体層が形成されることを特徴とする請求項１０に記載のプラズマディスプレイパネル。
【請求項１３】
前記第１基板には、前記放電セルで発生した可視光を前記第２基板側に反射させる反射層が形成されることを特徴とする請求項１に記載のプラズマディスプレイパネル。
【請求項１４】
所定の間隔で互いに対向して配置され、放電空間を形成する第１基板及び第２基板と、
前記第１基板と前記第２基板との間に設けられ、前記放電空間を区画して複数の放電セルを形成する複数の隔壁と、
前記第１基板と前記第２基板のうちいずれか一つの基板に形成される複数のアドレス電極と、
前記アドレス電極を覆うように形成される第１誘電体層と、
前記第１誘電体層の表面に形成される蛍光体層と、
前記第１基板に前記放電セルごとに対をなして形成される第１及び第２維持電極と、
前記第１及び第２維持電極を覆うように形成される第２誘電体層と、
前記隔壁の内部に設けられ、前記放電セルごとに互いに対向して対をなして形成される第３及び第４維持電極と、を備え、
前記第１維持電極と前記第２維持電極との間では面放電が発生し、前記第３維持電極と前記第４維持電極との間では対向放電が発生することを特徴とするプラズマディスプレイパネル。
【請求項１５】
前記第１及び第２維持電極と前記隔壁とは、前記アドレス電極に直交する方向に形成され、前記第３及び第４維持電極は、前記隔壁の長手方向に沿って形成されることを特徴とする請求項１４に記載のプラズマディスプレイパネル。
【請求項１６】
前記第１及び第２維持電極は、それぞれ前記第３及び第４維持電極に電気的に連結されることを特徴とする請求項１５に記載のプラズマディスプレイパネル。
【請求項１７】
前記第１維持電極と前記第２維持電極との間に位置する前記第２誘電体層には、トレンチが前記第１及び第２維持電極に平行な方向に形成されることを特徴とする請求項１５に記載のプラズマディスプレイパネル。
【請求項１８】
前記第２誘電体層の表面及び前記隔壁の表面には、保護膜が形成されることを特徴とする請求項１５に記載のプラズマディスプレイパネル。
【請求項１９】
前記第２誘電体層の表面の一部には、放電不活性膜が形成されることを特徴とする請求項１５に記載のプラズマディスプレイパネル。
【請求項２０】
前記放電不活性膜は、Ａｌ２Ｏ３からなることを特徴とする請求項１９に記載のプラズマディスプレイパネル。
【請求項２１】
前記放電不活性膜の表面には、蛍光体層が形成されることを特徴とする請求項１９に記載のプラズマディスプレイパネル。
【請求項２２】
所定の間隔で互いに対向して配置され、放電空間を形成する第１基板及び第２基板と、
前記第１基板と第２基板との間に設けられ、前記放電空間を区画して複数の放電セルを形成する複数の隔壁と、
前記第１基板に形成される複数のアドレス電極と、
前記アドレス電極を覆うように形成される第１誘電体層と、
前記第１誘電体層の表面に形成される蛍光体層と、
前記隔壁の内部に設けられ、前記放電セルごとに互いに対向して対をなして形成される第１及び第２維持電極と、
前記第２基板の前記第１基板と対向する面に互いに離隔して設けられ、前記第１及び第２維持電極にそれぞれ連結されて、前記第１及び第２維持電極に電圧が印加されることによって電圧が誘起される第２及び第３誘電体層と、を備え、
前記第１維持電極と前記第２維持電極との間では対向放電が発生し、前記第２誘電体層と前記第３誘電体層との間では面放電が発生することを特徴とするプラズマディスプレイパネル。
【請求項２３】
前記隔壁は、前記アドレス電極に直交する方向に形成され、前記第１及び第２維持電極は、前記隔壁の長手方向に沿って形成されることを特徴とする請求項２２に記載のプラズマディスプレイパネル。
【請求項２４】
前記第２及び第３誘電体層は、前記隔壁に平行な方向に形成されることを特徴とする請求項２３に記載のプラズマディスプレイパネル。
【請求項２５】
前記第２及び第３誘電体層の表面及び隔壁の表面には、保護膜が形成されることを特徴とする請求項２４に記載のプラズマディスプレイパネル。
【請求項２６】
前記第１基板には、前記放電セルで発生した可視光を前記第２基板側に反射させる反射層が形成されることを特徴とする請求項２２に記載のプラズマディスプレイパネル。
【請求項２７】
所定の間隔で互いに対向して配置され、放電空間を形成する第１基板及び第２基板と、
前記第１基板と第２基板との間に設けられ、前記放電空間を区画して複数の放電セルを形成する複数の隔壁と、
前記第１基板と第２基板のうちいずれか一つの基板に形成される複数のアドレス電極と、
前記アドレス電極を覆うように形成される第１誘電体層と、
前記第１誘電体層の表面に形成される蛍光体層と、
前記隔壁の内部に設けられ、前記放電セルごとに互いに対向して対をなして形成される第１及び第２維持電極と、
前記第１基板の前記第２基板と対向する面に互いに離隔して設けられ、前記第１及び第２維持電極にそれぞれ連結されて、前記第１及び第２維持電極に電圧が印加されることによって電圧が誘起される第２及び第３誘電体層と、を備え、
前記第１維持電極と前記第２維持電極との間では対向放電が発生し、前記第２誘電体層と前記第３誘電体層との間では面放電が発生することを特徴とするプラズマディスプレイパネル。
【請求項２８】
前記隔壁は前記アドレス電極に直交する方向に形成され、前記第１及び第２維持電極は、前記隔壁の長手方向に沿って形成されることを特徴とする請求項２７に記載のプラズマディスプレイパネル。
【請求項２９】
前記第２及び第３誘電体層は、前記隔壁に平行な方向に形成されることを特徴とする請求項２８に記載のプラズマディスプレイパネル。
【請求項３０】
前記第２及び第３誘電体層の表面及び隔壁の表面には、保護膜が形成されることを特徴とする請求項２９に記載のプラズマディスプレイパネル。
【発明の詳細な説明】
【技術分野】
【０００１】
本発明は、プラズマディスプレイパネルに係り、詳細には、放電電圧を低めることができ、発光効率を向上させることができるプラズマディスプレイパネルに関する。
【背景技術】
【０００２】
プラズマディスプレイパネル（Ｐｌａｓｍａ  Ｄｉｓｐｌａｙ  Ｐａｎｅｌ；ＰＤＰ）は、電気的放電を利用して画像を形成する装置であり、輝度や視野角などの表示性能が優秀であるため、その使用が益々増大しつつある。このようなＰＤＰは、電極に印加される直流または交流電圧によって、電極の間でガス放電が発生し、この放電過程で発生する紫外線によって蛍光体が励起されて、可視光を発散する。
【０００３】
ＰＤＰは、その放電形式によって直流型（ＤＣ  ｔｙｐｅ）と交流型（ＡＣ  ｔｙｐｅ）とに分類される。直流型ＰＤＰは、すべての電極が放電空間に露出される構造であり、対応電極の間で電荷の移動が直接的に行われる。交流型ＰＤＰは、少なくとも一つの電極が誘電体層で包まれ、対応する電極の間に直接的な電荷の移動が行われない代わりに、壁電荷によって放電が行われる。
【０００４】
また、ＰＤＰは、電極の配置構造によって対向放電型と面放電型とに分類される。対向放電型ＰＤＰは、対をなす二つの維持電極がそれぞれ上部基板と下部基板とに配置された構造であり、放電が基板に垂直な方向に発生する。面放電型ＰＤＰは、対をなす二つの維持電極が同じ基板上に配置された構造であり、放電が基板に平行な方向に発生する。
【０００５】
図１には、従来の一般的な面放電型ＰＤＰが図示されている。そして、図２Ａ及び図２Ｂは、それぞれ図１に示したＰＤＰを横方向及び縦方向に切断した断面図である。
【０００６】
図１と図２Ａ及び図２Ｂを参照すれば、従来のＰＤＰは、所定の間隔で相互対面する下部基板１０及び上部基板２０を備える。下部基板１０と上部基板２０との間の空間は、プラズマ放電が発生する放電空間となる。
【０００７】
下部基板１０の上面には、複数のアドレス電極１１が形成されており、このアドレス電極１１は、第１誘電体層１２により覆われている。第１誘電体層１２の上面には、放電空間を区画して放電セル３０を形成し、この放電セル３０間の電気的及び光学的干渉を防止する複数の隔壁３５が互いに所定間隔をおいて形成されている。放電セル３０の内部には放電ガスが満たされ、放電セル３０の内壁をなす第１誘電体層１２の上面及び隔壁３５の側面には、蛍光体層１５が所定厚さで塗布されている。
【０００８】
上部基板２０は、可視光が透過できる透明基板であって主にガラスからなり、隔壁３５が形成された下部基板１０に結合される。上部基板２０の下面には、アドレス電極１１と直交する維持電極２１ａ，２１ｂが対をなして形成されている。維持電極２１ａ，２１ｂは、可視光が透過できるように主にＩＴＯ（Ｉｎｄｉｕｍ  Ｔｉｎ  Ｏｘｉｄｅ）のような透明な導電性材料からなる。そして、維持電極２１ａ，２１ｂのライン抵抗を減らすために、維持電極２１ａ，２１ｂそれぞれの下面には、金属材質からなるバス電極２２ａ，２２ｂが、維持電極２１ａ，２１ｂより狭い幅で形成されている。このような維持電極２１ａ，２１ｂ及びバス電極２２ａ，２２ｂは、透明な第２誘電体層２３により覆われている。第２誘電体層２３の下面には、保護膜２４が形成されている。保護膜２４は、プラズマ粒子のスパッタリングによる第２誘電体層２３の損傷を防止し、２次電子を放出して放電電圧を低める役割を果たすものであり、一般的に酸化マグネシウム（ＭｇＯ）からなる。
【０００９】
上記のような構造のＰＤＰでは、維持電極の間に形成される電界が不均一で発光効率が落ちるという問題点がある。そして、維持電極間の間隔を広くして放電経路を長くすれば、発光効率を向上させることができるが、放電電圧が上昇するという問題点がある。
【００１０】
一方、対向放電型ＰＤＰでは、均一な電界の形成によって発光効率が高い一方、プラズマにより蛍光体層がすぐ劣化してしまうという短所がある。そして、維持電極間の間隔を広くすれば、発光効率を向上させることができるが、この場合にも、放電電圧が上昇するという問題点がある。
【発明の開示】
【発明が解決しようとする課題】
【００１１】
本発明は、上記のような問題点を鑑みてなされたものであり、放電電圧を低めることができ、発光効率を向上させることができる、改善された構造のＰＤＰを提供するところにその目的がある。
【課題を解決するための手段】
【００１２】
上記目的を達成するために、本発明の一実施の形態によるＰＤＰは、所定の間隔で互いに対向して配置され、放電空間を形成する第１基板及び第２基板と、前記第１基板と前記第２基板との間に設けられ、前記放電空間を区画して複数の放電セルを形成する複数の隔壁と、前記第１基板に形成される複数のアドレス電極と、前記アドレス電極を覆うように形成される第１誘電体層と、前記第１誘電体層の表面に形成される蛍光体層と、前記第２基板に前記放電セルごとに対をなして形成される第１及び第２維持電極と、前記第１及び第２維持電極を覆うように形成される第２誘電体層と、前記隔壁の内部に設けられて、前記放電セルごとに互いに対向して対をなして形成される第３及び第４維持電極と、を備え、前記第１維持電極と前記第２維持電極との間では面放電が発生し、前記第３維持電極と前記第４維持電極との間では対向放電が発生することを特徴とする。
【００１３】
前記第１及び第２維持電極と前記隔壁とは、前記アドレス電極に直交する方向に形成され、前記第３及び第４維持電極は、前記隔壁の長手方向に沿って形成されることが望ましい。
【００１４】
前記第１維持電極と前記第２維持電極との間に位置する前記第２誘電体層には、トレンチが前記第１及び第２維持電極に平行な方向に形成され、前記第１及び第２維持電極が位置する前記第２誘電体層の表面と、前記第３及び第４維持電極が位置する前記隔壁の表面とには、保護膜が形成される。
【００１５】
前記第１及び第２維持電極は、透明な導電性物質からなり、前記第３及び第４維持電極は、金属からなる。この場合、前記第１及び第２維持電極は、それぞれ前記第３及び第４維持電極に電気的に連結されることが望ましい。
【００１６】
前記第２誘電体層の表面の一部には、放電不活性膜（Ｄｉｓｃｈａｒｇｅ  Ｄｅａｃｔｉｖａｔｉｏｎ  Ｆｉｌｍ：ＤＤＦ）が形成され、前記ＤＤＦの表面には、蛍光体層が形成される。
【００１７】
本発明の他の実施の形態によるＰＤＰは、所定の間隔で互いに対向して配置され、放電空間を形成する第１基板及び第２基板と、前記第１基板と前記第２基板との間に設けられ、前記放電空間を区画して複数の放電セルを形成する複数の隔壁と、前記第１基板と前記第２基板のうちいずれか一つの基板に形成される複数のアドレス電極と、前記アドレス電極を覆うように形成される第１誘電体層と、前記第１誘電体層の表面に形成される蛍光体層と、前記第１基板に前記放電セルごとに対をなして形成される第１及び第２維持電極と、前記第１及び第２維持電極を覆うように形成される第２誘電体層と、前記隔壁の内部に設けられ、前記放電セルごとに互いに対向して対をなして形成される第３及び第４維持電極と、を備え、前記第１維持電極と前記第２維持電極との間では面放電が発生し、前記第３維持電極と前記第４維持電極との間では対向放電が発生することを特徴とする。
【００１８】
本発明のさらに他の実施の形態によるＰＤＰは、所定の間隔で互いに対向して配置され、放電空間を形成する第１基板及び第２基板と、前記第１基板と前記第２基板との間に設けられ、前記放電空間を区画して複数の放電セルを形成する複数の隔壁と、前記第１基板に形成される複数のアドレス電極と、前記アドレス電極を覆うように形成される第１誘電体層と、前記第１誘電体層の表面に形成される蛍光体層と、前記隔壁の内部に設けられ、前記放電セルごとに互いに対向して対をなして形成される第１及び第２維持電極と、前記第２基板の前記第１基板に対向する面に互いに離隔して設けられ、前記第１及び第２維持電極にそれぞれ連結されて、前記第１及び第２維持電極に電圧が印加されることによって電圧が誘起される第２及び第３誘電体層と、を備え、前記第１維持電極と前記第２維持電極との間では対向放電が発生し、前記第２誘電体層と前記第３誘電体層との間では面放電が発生することを特徴とする。
【００１９】
本発明のさらに他の実施の形態によるＰＤＰは、所定の間隔で互いに対向して配置され、放電空間を形成する第１基板及び第２基板と、前記第１基板と前記第２基板との間に設けられ、前記放電空間を区画して複数の放電セルを形成する複数の隔壁と、前記第１基板と前記第２基板のうちいずれか一つの基板に形成される複数のアドレス電極と、前記アドレス電極を覆うように形成される第１誘電体層と、前記第１誘電体層の表面に形成される蛍光体層と、前記隔壁の内部に設けられ、前記放電セルごとに互いに対向して対をなして形成される第１及び第２維持電極と、前記第１基板の前記第２基板と対向する面に互いに離隔して設けられ、前記第１及び第２維持電極にそれぞれ連結されて、前記第１及び第２維持電極に電圧が印加されることによって電圧が誘起される第２及び第３誘電体層と、を備え、前記第１維持電極と前記第２維持電極との間では対向放電が発生し、前記第２誘電体層と前記第３誘電体層との間では面放電が発生することを特徴とする。
【発明の効果】
【００２０】
本発明によるＰＤＰによれば、一対の維持電極を基板だけでなく隔壁の内部にも設けることによって、放電セルの内部に面放電と対向放電とが混合された形態の放電を誘導できる。これにより、電界向上効果により放電電圧を低められる。そして、放電セルの内部では、電界が均一に形成できるので、発光効率も向上できる。
【発明を実施するための最良の形態】
【００２１】
以下では、添付された図面を参照して本発明の望ましい実施の形態を詳細に説明する。図面で同じ参照符号は同じ構成要素を示す。
【００２２】
図３は、本発明の第１の実施の形態によるＰＤＰの部分断面図である。
【００２３】
図３を参照すれば、下部基板（第１基板）１１０と上部基板（第２基板）１２０とが互いに所定の間隔で対向して配置され、その間に放電空間を形成する。ここで、下部基板１１０及び上部基板１２０は、一般的にガラス基板からなる。
【００２４】
下部基板１１０の上面には、複数のアドレス電極１１１が形成されており、このようなアドレス電極１１１は、第１誘電体層１１２によって覆われる。そして、第１誘電体層１１２の表面には、蛍光体層１１５が形成されている。
【００２５】
下部基板１１０と上部基板１２０との間には、放電空間を区画して放電セル１３０を形成する複数の隔壁１３５が形成されている。ここで、隔壁１３５は、アドレス電極１１１に直交する方向に形成される。隔壁１３５は、隣接する放電セル１３０間の電気的及び光学的干渉を防止する役割を果たす。そして、放電セル１３０の内部には、プラズマ放電によって紫外線を発生させる放電ガスが満たされる。一方、図３には図示されていないが、下部基板１１０には、放電セル１３０で発生した可視光を上部基板１２０側に反射させる反射層が形成されている。
【００２６】
上部基板１２０の下面には、放電セル１３０ごとに第１及び第２維持電極１２１ａ，１２１ｂが対をなして互いに隣接して形成されている。ここで、第１及び第２維持電極１２１ａ，１２１ｂは、アドレス電極１１１に直交する方向に形成される。そして、第１及び第２維持電極１２１ａ，１２１ｂは、透明な第２誘電体層１２３によって覆われる。
【００２７】
一方、互いに隣接する隔壁１３５の内部には、それぞれ第３及び第４維持電極１３１ａ，１３１ｂが隔壁１３５の長手方向に沿って形成されている。そして、第３及び第４維持電極１３１ａ，１３１ｂは、放電セル１３０ごとに互いに対向して対をなして形成される。
【００２８】
そして、第１及び第２維持電極１２１ａ，１２１ｂが位置する第２誘電体層１２３の表面と、第３及び第４維持電極１３１ａ，１３１ｂが位置する隔壁１３５の表面とには、保護膜１２４が形成されている。保護膜１２４は、プラズマ粒子のスパッタリングによる第２誘電体層１２３の損傷を防止し、２次電子を放出して放電電圧を低める役割を行うものであり、一般的に酸化マグネシウム（ＭｇＯ）からなる。なお、第１及び第２維持電極１２１ａ，１２１ｂと隔壁１３５とは、アドレス電極１１１と実質的に直交する方向に形成されていればよい。
【００２９】
上記のようなＰＤＰで、第１及び第２維持電極１２１ａ，１２１ｂ、ならびに第３及び第４維持電極１３１ａ，１３１ｂにそれぞれ所定の電圧が印加されれば、互いに隣接して配置される第１維持電極１２１ａと第２維持電極１２１ｂとの間で開始放電が発生する。そして、開始放電以後には、第１維持電極１２１ａと第２維持電極１２１ｂとの間及び第３維持電極１３１ａと第４維持電極１３１ｂとの間で維持放電が発生する。この時、放電セル１３０の内部では、第１維持電極１２１ａと第２維持電極１２１ｂとの間に形成される電界による面放電と、第３維持電極１３１ａと第４維持電極１３１ｂとの間に形成される電界による対向放電とが混合された形態の放電が発生する。
【００３０】
このように、本実施の形態によるＰＤＰでは、上部基板１２０に設けられた第１及び第２維持電極１２１ａ，１２１ｂ以外に、互いに対向する第３及び第４維持電極１３１ａ，１３１ｂを隔壁１３５の内部に設けることによって、電界向上効果を得ることができ、これにより、放電開始電圧及び放電維持電圧を低めることができる。そして、放電セル１３０の内部では均一な電界が形成できるので、発光効率が向上できる。
【００３１】
図４は、本発明の第１の実施の形態によるＰＤＰの変形例を示す部分断面図である。以下では、前述した実施の形態と異なる点のみ説明する。
【００３２】
図４を参照すれば、第１維持電極１２１ａと第２維持電極１２１ｂとの間に位置する第２誘電体層１２３には、所定形状のトレンチ１４０が形成されている。この時、トレンチ１４０は、第１及び第２維持電極１２１ａ，１２１ｂに平行な方向に形成される。そして、トレンチ１４０の内壁には、保護膜１２４が形成されている。上記のように、第２誘電体層１２３にトレンチ１４０を形成すれば、電界集中効果を得られ、放電開始電圧をさらに低めることができる。
【００３３】
図５は、本発明の第２の実施の形態によるＰＤＰの部分断面図である。
【００３４】
図５を参照すれば、下部基板２１０と上部基板２２０とが互いに所定の間隔で対向して配置され、その間に放電空間を形成する。下部基板２１０の上面には、複数のアドレス電極２１１が形成されており、このようなアドレス電極２１１は、第１誘電体層２１２によって覆われる。そして、第１誘電体層２１２の表面には、蛍光体層２１５が形成されている。
【００３５】
下部基板２１０と上部基板２２０との間には、放電空間を区画して放電セル２３０を形成する複数の隔壁２３５が形成されている。ここで、隔壁２３５は、アドレス電極２１１に直交する方向に形成される。一方、図５には図示されていないが、下部基板２１０には、放電セル２３０で発生した可視光を上部基板２２０側に反射させる反射層が形成されている。
【００３６】
上部基板２２０の下面には、放電セル２３０ごとに第１及び第２維持電極２２１ａ，２２１ｂが対をなして形成されている。ここで、第１及び第２維持電極２２１ａ，２２１ｂは、アドレス電極２１１に直交する方向に形成される。第１及び第２維持電極２２１ａ，２２１ｂは、放電セル２３０で発生した可視光が上部基板２２０を透過できるように、透明な導電性物質からなる。第１及び第２維持電極２２１ａ，２２１ｂは、ＩＴＯまたはＳｎＯ２からなる。そして、第１及び第２維持電極２２１ａ，２２１ｂは、透明な第２誘電体層２２３によって覆われる。そして、第１維持電極２２１ａと第２維持電極２２１ｂとの間に位置する第２誘電体層２２３には、所定形状のトレンチ２４０が第１及び第２維持電極２２１ａ，２２１ｂに平行な方向に形成されることができる。
【００３７】
互いに隣接する隔壁２３５の内部には、それぞれ第３及び第４維持電極２３１ａ，２３１ｂが隔壁２３５の長手方向に沿って形成されている。ここで、第３及び第４維持電極２３１ａ，２３１ｂは、放電セル２３０ごとに互いに対向して対をなして形成される。第３及び第４維持電極２３１ａ，２３１ｂは、Ａｇのような金属からなる。一方、第３及び第４維持電極２３１ａ，２３１ｂは、それぞれ第１及び第２維持電極２２１ａ，２２１ｂに電気的に連結されることが望ましい。この場合、第３及び第４維持電極２３１ａ，２３１ｂは、それぞれ第１及び第２維持電極２２１ａ，２２１ｂのバス電極としての役割を果たす。
【００３８】
第１及び第２維持電極２２１ａ，２２１ｂを覆う第２誘電体層２２３の表面と、第３及び第４電極２３１ａ，２３１ｂが形成された隔壁２３５の表面とには、保護膜２２４が形成されている。
【００３９】
上記のようなＰＤＰで、第３及び第４維持電極２３１ａ，２３１ｂにそれぞれ所定の電圧が印加されれば、第３及び第４維持電極２３１ａ，２３１ｂにそれぞれ電気的に連結される第１維持電極２２１ａと第２維持電極２２１ｂとの間で開始放電が発生する。そして、開始放電以後には、第１維持電極２２１ａと第２維持電極２２１ｂとの間及び第３維持電極２３１ａと第４維持電極２３１ｂとの間で維持放電が発生する。この時、放電セル２３０の内部では、前述したように、面放電と対向放電とが混合された形態の放電が発生する。ここで、上部基板２２０に形成された第１及び第２維持電極２２１ａ，２２１ｂが透明な導電性物質からなるので、放電セル２３０で発生した可視光の大部分が上部基板２２０を透過して、輝度及び発光効率が向上されることができる。また、電界向上効果によって放電電圧が低くなり、均一な電界の形成によって発光効率が向上されることができる。
【００４０】
図６は、本発明の第２の実施の形態によるＰＤＰの変形例を示す部分断面図である。以下では、前述した実施の形態と異なる点のみ説明する。
【００４１】
図６を参照すれば、第１及び第２維持電極２２１ａ，２２１ｂが位置する第２誘電体層２２３の表面には、ＤＤＦ（放電不活性膜）２５０が形成されており、このようなＤＤＦ２５０は、隔壁２３５の表面の一部まで延びて形成される。ここで、ＤＤＦ２５０は、Ａｌ２Ｏ３からなることが望ましい。上記のようなＤＤＦ２５０は、２次電子放出係数及びスパッタ率を低める役割を果たし、これにより、ＰＤＰの消費電力が低められることができる。
【００４２】
ＤＤＦ２５０の表面には、放電時にさらに多くの可視光を発生させるために、蛍光体層２１５が形成されることもできる。そして、ＤＤＦ２５０が形成されていない第２誘電体層２２３の表面及び隔壁２３５の表面には、保護膜２２４が形成されている。
【００４３】
一方、前述した実施の形態を透過型ＰＤＰにも適用できる。図７は本発明の第３の実施の形態によるＰＤＰの部分断面図である。
【００４４】
図７を参照すれば、下部基板３１０と上部基板３２０とが互いに所定の間隔で対向して配置され、その間に放電空間を形成する。上部基板３２０の下面には複数のアドレス電極３２１が形成されており、アドレス電極３２１は透明な第１誘電体層３２２によって覆われる。アドレス電極３２１は、放電によって発生した可視光が上部基板３２０を透過するように、透明な導電性物質からなることが望ましい。一方、アドレス電極３２１は、下部基板３１０に形成されることもできる。そして、第１誘電体層３２２の表面には、蛍光体層３２５が形成されている。
【００４５】
下部基板３１０と上部基板３２０との間には、放電空間を区画して放電セル３３０を形成する複数の隔壁３３５が形成されている。ここで、隔壁３３５は、アドレス電極３２１に直交する方向に形成される。
【００４６】
下部基板３１０の上面には、放電セル３３０ごとに第１及び第２維持電極３１１ａ，３１１ｂが対をなして形成されている。ここで、第１及び第２維持電極３１１ａ，３１１ｂは、アドレス電極３２１に直交する方向に形成される。第１及び第２維持電極３１１ａ，３１１ｂは、Ａｇのような金属からなりうる。一方、第１及び第２維持電極３１１ａ，３１１ｂは、ＩＴＯまたはＳｎＯ２からなることもできる。そして、第１及び第２維持電極３１１ａ，３１１ｂは、第２誘電体層３１２によって覆われる。そして、第１維持電極３１１ａと第２維持電極３１１ｂとの間に位置する第２誘電体層３１２には、所定形状のトレンチ３４０が第１及び第２維持電極３１１ａ，３１１ｂに平行な方向に形成されることができる。
【００４７】
互いに隣接する隔壁３３５の内部には、それぞれ第３及び第４維持電極３３１ａ，３３１ｂが隔壁３３５の長手方向に沿って形成されている。ここで、第３及び第４維持電極３３１ａ，３３１ｂは、放電セル３３０ごとに互いに対向して対をなして形成される。第３及び第４維持電極３３１ａ，３３１ｂは、Ａｇのような金属からなる。一方、第３及び第４維持電極３３１ａ，３３１ｂは、それぞれ第１及び第２維持電極３１１ａ，３１１ｂに電気的に連結されることが望ましい。
【００４８】
そして、第１及び第２維持電極３１１ａ，３１１ｂを覆う第２誘電体層３１２の表面と、第３及び第４電極３３１ａ，３３１ｂが形成された隔壁３３５の表面とには、保護膜３２４が形成されている。
【００４９】
一方、図７には図示されていないが、第１及び第２維持電極３１１ａ，３１１ｂが位置する第２誘電体層３１２の表面には、ＤＤＦが形成されることができる。ここで、ＤＤＦはＡｌ２Ｏ３からなることが望ましい。この時、ＤＤＦが形成されていない第２誘電体層３１２の表面及び隔壁３３５の表面には、保護膜３２４が形成される。そして、ＤＤＦの表面には、放電時にさらに多くの可視光を発生させるために、蛍光体層が形成されることもできる。
【００５０】
図８は、本発明の第４の実施の形態によるＰＤＰの部分断面図である。
【００５１】
図８を参照すれば、下部基板４１０と上部基板４２０とが互いに所定の間隔で対向して配置され、その間に放電空間を形成する。下部基板４１０の上面には、複数のアドレス電極４１１が形成されており、このようなアドレス電極４１１は、第１誘電体層４１２によって覆われる。そして、第１誘電体層４１２の表面には、蛍光体層４１５が形成されている。
【００５２】
下部基板４１０と上部基板４２０との間には、放電空間を区画して放電セル４３０を形成する複数の隔壁４３５が形成されている。ここで、隔壁４３５は、アドレス電極４１１と直交する方向に形成される。一方、図８には図示されていないが、下部基板４１０には、放電セル４３０で発生した可視光を上部基板４２０側に反射させる反射層が形成されている。
【００５３】
互いに隣接する隔壁４３５の内部には、それぞれ第１及び第２維持電極４３１ａ，４３１ｂが、隔壁４３５の長手方向に沿って形成されている。ここで、第１及び第２維持電極４３１ａ，４３１ｂは、放電セル４３０ごとに互いに対向して対をなして形成される。第１及び第２維持電極４３１ａ，４３１ｂは、Ａｇのような金属からなることが望ましい。
【００５４】
上部基板４２０の下面には、第２及び第３誘電体層４２３ａ，４２３ｂが、互いに所定間隔離隔して、隔壁４３５に平行な方向に形成されている。これにより、第２誘電体層４２３ａと第３誘電体層４２３ｂとの間には、所定形状のトレンチ４４０が隔壁４３５に平行な方向に形成される。第２及び第３誘電体層４２３ａ，４２３ｂは、放電によって発生した可視光が上部基板４２０を透過できるように、透明な物質からなることが望ましい。ここで、第２及び第３誘電体層４２３ａ，４２３ｂは、それぞれ第１及び第２維持電極４３１ａ，４３１ｂに連結されている。第２及び第３誘電体層４２３ａ，４２３ｂは、第１及び第２維持電極４３１ａ，４３１ｂにそれぞれ電圧が印加されることによって、電圧が誘起される電極の役割を果たす。そして、第２及び第３誘電体層４２３ａ，４２３ｂの表面と、隔壁４３５の表面とには、保護膜４２４が形成されている。
【００５５】
上記のようなＰＤＰで、第１及び第２維持電極４３１ａ，４３１ｂにそれぞれ電圧が印加されれば、第２及び第３誘電体層４２３ａ，４２３ｂにそれぞれ所定の電圧が誘起される。これにより、第２誘電体層４２３ａと第３誘電体層４２３ｂとの間で、開始放電が先ず発生し、次いで、第１維持電極４３１ａと第２維持電極４３１ｂとの間で維持放電が発生する。このように、第１及び第２維持電極４３１ａ，４３１ｂに電圧が印加されることによって電圧が誘起される第２及び第３誘電体層４２３ａ，４２３ｂによって、放電を開始することによって、放電電圧を低められ、維持放電時に放電セル４３０の内部では、第１及び第２維持電極４３１ａ，４３１ｂによって放電経路の長い対向放電が発生するので、発光効率も向上させることができる。
【００５６】
一方、前述した実施の形態は、透過型ＰＤＰにも適用できる。図９は、本発明の第５の実施の形態によるＰＤＰの部分断面図である。
【００５７】
図９を参照すれば、下部基板５１０と上部基板５２０とが互いに所定の間隔で対向して配置され、その間に放電空間を形成する。上部基板５２０の下面には、複数のアドレス電極５２１が形成されており、アドレス電極５２１は、透明な第１誘電体層５２２によって覆われる。ここで、アドレス電極５２１は、透明な導電性物質からなることが望ましい。一方、アドレス電極５２１は、下部基板５１０に形成されることもできる。そして、第１誘電体層５２２の表面には、蛍光体層５２５が形成されている。
【００５８】
下部基板５１０と上部基板５２０との間には、放電空間を区画して放電セル５３０を形成する複数の隔壁５３５が形成されている。ここで、隔壁５３５は、アドレス電極５２１と直交する方向に形成される。
【００５９】
互いに隣接する隔壁５３５の内部には、それぞれ第１及び第２維持電極５３１ａ，５３１ｂが、隔壁５３５の長手方向に沿って形成されている。ここで、第１及び第２維持電極５３１ａ，５３１ｂは、放電セル５３０ごとに互いに対向して対をなして形成される。第１及び第２維持電極５３１ａ，５３１ｂは、Ａｇのような金属からなることが望ましい。
【００６０】
下部基板５１０の上面には、第２及び第３誘電体層５１２ａ，５１２ｂが、互いに所定間隔離隔して隔壁５３５に平行な方向に形成されている。ここで、第２及び第３誘電体層５１２ａ，５１２ｂは、それぞれ第１及び第２維持電極５３１ａ，５３１ｂに連結されている。前述したように、第２及び第３誘電体層５１２ａ，５１２ｂは、第１及び第２維持電極５３１ａ，５３１ｂにそれぞれ電圧が印加されることによって、電圧が誘起される電極の役割を果たす。そして、第２及び第３誘電体層５１２ａ，５１２ｂの表面と、隔壁５３５の表面とには、保護膜５２４が形成されている。
【００６１】
上記のようなＰＤＰでは、前述したように、第１及び第２維持電極５３１ａ，５３１ｂに電圧が印加されることによって、電圧が誘起される第２及び第３誘電体層５１２ａ，５１２ｂによって放電を開始することによって、放電電圧を低めることができ、維持放電時に放電セル５３０内部では、第１及び第２維持電極５３１ａ，５３１ｂによって放電経路の長い対向放電が発生するので、発光効率も向上させることができる。
【００６２】
以上で本発明による望ましい実施の形態が説明されたが、これは例示的なものに過ぎず、当業者ならば、これより多様な変形及び均等な他の実施の形態が可能であるという点を理解できるであろう。したがって、本発明の真の技術的保護範囲は、特許請求の範囲により定められねばならない。
【産業上の利用可能性】
【００６３】
本発明は、電気的放電を利用して画像を形成する装置のＰＤＰの関連技術分野に好適に用いられる。
【図面の簡単な説明】
【００６４】
【図１】一般的なＰＤＰの分離斜視図である。
【図２Ａ】図１に示したＰＤＰの横方向に切断した部分断面図である。
【図２Ｂ】図１に示したＰＤＰの縦方向に切断した部分断面図である。
【図３】本発明の第１の実施の形態によるＰＤＰの部分断面図である。
【図４】本発明の第１の実施の形態によるＰＤＰの変形例を示す部分断面図である。
【図５】本発明の第２の実施の形態によるＰＤＰの部分断面図である。
【図６】本発明の第２の実施の形態によるＰＤＰの変形例を示す部分断面図である。
【図７】本発明の第３の実施の形態によるＰＤＰの部分断面図である。
【図８】本発明の第４の実施の形態によるＰＤＰの部分断面図である。
【図９】本発明の第５の実施の形態によるＰＤＰの部分断面図である。
【符号の説明】
【００６５】
１１０    下部基板、
１１１    アドレス電極、
１１２    第１誘電体層、
１１５    蛍光体層、
１２０    上部基板、
１２１ａ    第１維持電極、
１２１ｂ    第２維持電極、
１２３    第２誘電体層、
１２４    保護膜、
１３０    放電セル、
１３１ａ    第３維持電極、
１３１ｂ    第４維持電極、
１３５    隔壁。
【図１】
2006140133.tif 000003
【図２Ａ】
2006140133.tif 000004
【図２Ｂ】
2006140133.tif 000005
【図３】
2006140133.tif 000006
【図４】
2006140133.tif 000007
【図５】
2006140133.tif 000008
【図６】
2006140133.tif 000009
【図７】
2006140133.tif 000010
【図８】
2006140133.tif 000011
【図９】
2006140133.tif 000012